(57)【特許請求の範囲】
【請求項１】
前後に開口する演出領域が形成された装飾部材が配設された遊技盤と、前記遊技盤に取付けられ、前記遊技盤から後側に離間して該遊技盤の後面に対向する設置壁部を有する設置部材と、前記設置壁部に前記演出領域の後方に位置するよう設けた表示部と、前記設置壁部の前側に前記表示部と隣接して装置本体が取付けられ、前記演出領域を介して該遊技盤の前側から視認可能な演出装置とを備えた遊技機において、
前記設置壁部の前側における表示部の周囲に設けられた当接部と、前記演出装置の装置本体に設けられた被当接部との当接により、前記装置本体の前面が前記表示部に近づくにつれて後側へ変位した傾斜姿勢で該装置本体を保持する姿勢保持部と、
前記装置本体に前側を指向するように設けられ、前記姿勢保持部により該装置本体が前記傾斜姿勢で保持された状態において前記設置壁部と平行となる当受け部と、
前記設置壁部に設けた取付部に前側から固定され、前記当受け部に前側から当接する固定部材とを備え、
前記固定部材と前記当受け部とが当接すると共に前記当接部と被当接部とが当接することで、前記装置本体が前記傾斜姿勢に保持された状態で前記演出装置が前記設置壁部に取付けられるよう構成した
ことを特徴とする遊技機。
【請求項２】
前記当受け部は、前記装置本体の前面より後側へ凹んだ形状に形成された請求項１記載の遊技機。
【請求項３】
前記装置本体には、前後に貫通する挿通部が前記当受け部で開口するよう設けられ、
前記取付部は、前記挿通部に後側から差し込み可能な形状で前記設置壁部から前方へ突出するよう形成され、
前記固定部材は、前記挿通部の開口より大きく形成された請求項１または２記載の遊技機。
【請求項４】
前記当接部における前記被当接部との当接面は、前記表示部から離れるにつれて前記設置壁部の前面から前側へ離間するよう傾斜して形成され、
前記被当接部における前記当接部の当接面と当接する被当接面は、前記装置本体の前面と平行に形成された請求項１〜３の何れか一項に記載の遊技機。
【請求項５】
前記当接部における前記被当接部との当接面は、前記設置壁部の前面と平行に形成され、
前記被当接部における前記当接部の当接面と当接する被当接面は、前記表示部から離れるにつれて前記装置本体の前面から後側へ離間するよう傾斜して形成された請求項１〜３の何れか一項に記載の遊技機。
【発明の詳細な説明】
【技術分野】
【０００１】
この発明は、遊技盤の後側に取付けられる設置部材に、演出装置を取付けた遊技機に関するものである。
【背景技術】
【０００２】
パチンコ機等に代表される遊技機は、外枠に取り付けられる中枠と、裏側に設置部材が配設されて前記中枠に取り付けられる遊技盤と、前記中枠の前側に取り付けられる前枠等を備えている。前記遊技盤は、その前側に、案内釘、各種入賞装置および演出装置等が配設された遊技領域が画成され、盤面を前後に貫通する開口が前記遊技領域内に形成されている。前記開口の開口縁には、該開口縁に沿う形状に形成された環状の装飾部材(センター役物とも称される)が配設され、この装飾部材の内側開口が演出領域とされている。前記設置部材は、遊技盤の後面から後方へ離間して該後面と平行となる設置壁部を備えると共に、この設置壁部の中央には前記演出領域と前後に対向する表示開口が形成されている。前記設置壁部の後側には、表示演出部を前記表示開口に臨ませた状態で表示装置が取付けられると共に、該設置壁部の前側には、各種の演出装置が取付けられる。そして、前記表示装置の表示演出部および演出装置は、前記装飾部材の演出領域に臨んで遊技盤の前側から視認されるよう構成されている。このような遊技機は、パチンコ遊技に際して、前記遊技領域内へ打ち出した遊技球が該遊技領域における前記装飾部材の下方に配設した始動入賞装置に入賞すると、前記表示装置の表示演出部において図柄変動演出が行なわれると共に、この図柄変動演出に合わせて前記演出装置が所定の演出動作を行なうよう構成されている。
【０００３】
前記演出装置は、前記設置壁部における前記表示開口を囲む上下や左右等に配設され、表示開口に臨む前記表示演出部での図柄変動演出に合わせて姿勢変位したり移動する演出部材を備えている。すなわち前記演出装置は、遊技機に搭載された制御手段により制御される駆動手段(例えば電気モータ、ロータリーソレノイド、リニアソレノイド、エアシリンダ等)を備えると共に、この駆動手段に前記演出部材が連係されており、駆動手段の駆動により演出部材が姿勢変位したり移動することで演出効果を高めるよう構成されている。このような可動演出装置は、特許文献１に開示されている。
【先行技術文献】
【特許文献】
【０００４】
【特許文献１】特開２０１１−１０４２８１号公報
【発明の概要】
【発明が解決しようとする課題】
【０００５】
ところで、従来の遊技機では、演出装置の演出効果を高めるため、該演出部材を前記設置壁部から前方へ離間させて配設して、前記装飾部材の演出領域に臨ませるようすることが多い。しかしながら、表示装置の表示演出部と演出装置の演出部材とが前後に離れて位置するようになるから、該表示演出部での図柄変動演出と演出部材の演出との連動性を図り難い問題が生ずる。そこで、前記演出装置の前面を、前記表示開口に近づくにつれて後方へ変位するよう傾斜させ、前記演出部材を表示開口に臨む表示演出部に近づけるよう構成した演出装置も提案されている。しかしながら前記演出装置が、該演出部材の前側から前記設置壁部側に固定される固定部材を使用して該設置壁部に固定されるようになっているから、演出部材の傾斜した前面と固定部材の後面とが平行にならず、演出部材の前面と固定部材の後面との間に隙間が形成されて該演出部材を設置壁部に安定的に固定できない問題がある。
【０００６】
そこで本発明は、前述した課題を解決するために案出されたものであって、遊技盤の後側に配設される設置部材に対し、演出装置を傾斜姿勢で安定的に取付け得るよう構成した遊技機を提供することを目的とする。
【課題を解決するための手段】
【０００７】
前記課題を克服し、所期の目的を達成するため、本願の請求項１に係る発明は、
前後に開口する演出領域(28A)が形成された装飾部材(28)が配設された遊技盤(D)と、前記遊技盤(D)に取付けられ、前記遊技盤(D)から後側に離間して該遊技盤(D)の後面に対向する設置壁部(31)を有する設置部材(30)と、前記設置壁部(31)に前記演出領域(28A)の後方に位置するよう設けた表示部(34)と、前記設置壁部(31)の前側に前記表示部(31)と隣接して装置本体(51)が取付けられ、前記演出領域(28A)を介して該遊技盤(D)の前側から視認可能な演出装置(50)とを備えた遊技機において、
前記設置壁部(31)の前側における表示部(31)の周囲に設けられた当接部(85)と、前記演出装置(50)の装置本体(51)に設けられた被当接部(90)との当接により、前記装置本体(51)の前面(51A)が前記表示部(34)に近づくにつれて後側へ変位した傾斜姿勢で該装置本体(51)を保持する姿勢保持部(53)と、
前記装置本体(51)に前側を指向するように設けられ、前記姿勢保持部(53)により該装置本体(51)が前記傾斜姿勢で保持された状態において前記設置壁部(31)と平行となる当受け部(95/95A,95B,95C)と、
前記設置壁部(31)に設けた取付部(105/105A,105B,105C)に前側から固定され、前記当受け部(95/95A,95B,95C)に前側から当接する固定部材(100/100A,100B,100C)とを備え、
前記固定部材(100/100A,100B,100C)と前記当受け部(95/95A,95B,95C)とが当接すると共に前記当接部(85)と被当接部(90)とが当接することで、前記装置本体(51)が前記傾斜姿勢に保持された状態で前記演出装置(50)が前記設置壁部(31)に取付けられるよう構成したことを要旨とする。
【０００８】
従って、請求項１に係る発明によれば、演出装置の装置本体を、姿勢保持部における当接部および被当接部の当接により、前面が表示部に近づくにつれて後側へ変位した傾斜姿勢とすることができる。そして、設置壁部に設けた取付部に固定部材を固定することで、装置本体の前側に設けた当受け部に該固定部材が前側から当接すると共に、前記姿勢保持部の当接部と被当接部とが当接するので、装置本体を傾斜姿勢に保持した状態で設置壁部に演出装置を適切に取付けることができる。しかも、前記装置本体の前側に設けた当受け部が、該装置本体の傾斜姿勢において設置壁部と平行となるから、装置本体の傾斜方向へ該装置本体が移動することを防止し得る。そして演出装置は、装置本体の前面が表示部側に傾斜した状態に保持されるので、表示部における図柄変動演出と該演出装置の演出動作との連動性を図り易い。
【０００９】
請求項２に記載の発明では、
前記当受け部(95/95A,95B,95C)は、前記装置本体(51)の前面(51A)より後側へ凹んだ形状に形成されたことを要旨とする。
従って、請求項２に係る発明によれば、当受け部に当接させた固定部材を、装置本体の前面から突出しないようすることができる。
【００１０】
請求項３に記載の発明では、
前記装置本体(51)には、前後に貫通する挿通部(106)が前記当受け部(95B)で開口するよう設けられ、
前記取付部(105B)は、前記挿通部(106)に後側から差し込み可能な形状で前記設置壁部(31)から前方へ突出するよう形成され、
前記固定部材(100B)は、前記挿通部(106)の開口より大きく形成されたことを要旨とする。
従って、請求項３に係る発明によれば、装置本体の前後に貫通する挿通部に後側から差し込んだ取付部が当受け部に臨むようになり、該取付部に固定部材を前側から取付けることで、該固定部材を当受け部に当接させることができる。そして、取付部を挿通部に差し込むことで、装置本体を設置壁部に位置決めすることができる。また挿通部を、装置本体の外縁部以外の部分に設けることができるから、当受け部も該装置本体の外縁部以外の部分に設けて固定部材を当接させることができ、姿勢保持部における当接部と被当接部とが当接した状態を適切に維持できる。
【００１１】
請求項４に記載の発明では、
前記当接部(85)における前記被当接部(90)との当接面(87)は、前記表示部(34)から離れるにつれて前記設置壁部(31)の前面から前側へ離間するよう傾斜して形成され、
前記被当接部(90)における前記当接部(85)の当接面(87)と当接する被当接面(91)は、前記装置本体(51)の前面(51A)と平行に形成されたことを要旨とする。
従って、請求項４に係る発明によれば、設置壁部に設けた当接部の当接面が該設置壁部の前面に対し傾斜して形成されると共に、装置本体に設けた被当接部の被当接面が該装置本体の前面と平行に形成されているので、当接部の当接面と被当接部の被当接面とを当接させると、該装置本体を設置壁部に対して適切な傾斜姿勢とすることができる。
【００１２】
請求項５に記載の発明では、
前記当接部(85)における前記被当接部(90)との当接面(87)は、前記設置壁部(31)の前面と平行に形成され、
前記被当接部(90)における前記当接部(85)の当接面(87)と当接する被当接面(91)は、前記表示部(34)から離れるにつれて前記装置本体(51)の前面(51A)から後側へ離間するよう傾斜して形成されたことを要旨とする。
従って、請求項５に係る発明によれば、設置壁部に設けた当接部の当接面が該設置壁部の前面と平行に形成されると共に、装置本体に設けた被当接部の被当接面が該装置本体の前面に対し傾斜して形成されているので、当接部の当接面と被当接部の被当接面とを当接させると、該装置本体を設置壁部に対して適切な傾斜姿勢とすることができる。
【発明の効果】
【００１３】
本願発明に係る遊技機によれば、遊技盤の後側に配設される設置部材に対し、演出装置を傾斜姿勢で安定的に取付けることができる。
【図面の簡単な説明】
【００１４】
【図１】実施例のパチンコ機の正面図である。
【図２】実施例のパチンコ機における遊技盤の正面図である。
【図３】遊技盤の後側に配設される設置部材に、第１可動演出装置等を装着した状態を示す正面図である。
【図４】図２のIV−IV線断面図である。
【図５】(ａ)は、固定部材を装置本体の当受け部から分離させた状態で前側から見た第１可動演出装置の斜視図であり、(ｂ)は、固定部材を装置本体の当受け部に当接した状態で後側から見た第１可動演出装置の斜視図である。
【図６】第１可動演出装置の右側面図であって、設置部材の設置壁部に装着される姿勢を示している。
【図７】第１可動演出装置を前側から見た分解斜視図である。
【図８】第１可動演出装置を後側から見た分解斜視図である。
【図９】第１可動演出装置を設置部材の設置壁部から取り外した状態を示す斜視図である。
【図１０】図３のＸ−Ｘ線断面図である。
【図１１】図３のXI−XI線断面図である。
【図１２】図３のXII−XII線断面図である。
【図１３】第１可動演出装置および第２可動演出装置を設置部材から取り外した状態を示す斜視図である。
【図１４】第１可動演出装置の前側に第２可動演出装置が重なった状態を示す断面図である。
【発明を実施するための形態】
【００１５】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１６】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０への遊技球(パチンコ球)の入賞)を契機として演出用の図柄を変動表示させて図柄変動演出を行なう図柄表示装置(表示装置)Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方に遊技球を貯留する下球皿Ｆが前記中枠Ｂに組み付けられる。更に、前記前枠Ｃの下部位置に、遊技球を貯留する上球皿Ｅが一体的に組み付けられており、前枠Ｃの開閉に合わせて上球皿Ｅも一体的に開閉するよう構成される。
【００１７】
前記中枠Ｂの右下方位置には、該中枠Ｂに配設された打球発射装置(図示せず)を作動する操作ハンドルＧが設けられており、該操作ハンドルＧの操作により打球発射装置が作動することで、前記上球皿Ｅに貯留された遊技球が所定間隔で１球ずつ前記遊技盤Ｄに向けて連続的に発射されるようになっている。なお実施例では、前記図柄表示装置Ｈとして、各種図柄を表示可能な液晶パネルからなる表示演出部Ｈ１を備えて該表示演出部Ｈ１を収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１８】
(遊技盤)
前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３、図４および図１３に示す設置部材３０が配設されている。また、前記遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射された遊技球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１９】
前記遊技盤Ｄには、図４に示すように、中央に大きな貫通口１４が形成され、演出領域として前後に開口した表示窓口２８Ａが形成された枠状装飾部材(装飾部材)２８が、該貫通口１４の開口縁を覆うように配設されている。この枠状装飾部材２８には、遊技盤Ｄの前側に露出する部分に、前記設置部材３０の後側に着脱可能に配設された前記図柄表示装置Ｈ(図４参照)の表示演出部Ｈ１で表示される図柄変動演出の内容に合わせた装飾が施されている。そして、図２に示すように、前記枠状装飾部材２８の表示窓口２８Ａには、前記設置部材３０の後側に配設された図柄表示装置Ｈの表示演出部Ｈ１や、該設置部材３０の前側に配設される後述の第１、第２、第３の可動演出装置５０,１２０,１２５や、照明装置を内部に備えた第１、第２、第３の装飾部材４０,４１,４２(図３参照)等が臨むように構成されている(図１および図２では、第２可動演出装置１２０の演出部材１２２が第１装飾部材４０の前側に重なっているため、該第１装飾部材４０は前側から見えない)。
【００２０】
また、前記遊技盤Ｄには、前記貫通口の真下における左右中央に第１装着口１５(図４参照)が開設され、該貫通口の左下方(第１装着口１５の左側)に第２装着口(図示せず)が開設されている。前記第１装着口１５内の上方には始動入賞装置２０が前側から配設されると共に、該第１装着口１５内の下方には特別入賞装置２１が前側から配設され、特別入賞装置２１が始動入賞装置２０の真下に位置している。実施例における前記始動入賞装置２０は、第１始動入賞口２０Ａと、該第１始動入賞口２０Ａの真下に設けた第２始動入賞口２０Ｂとを備えており、両始動入賞口２０Ａ,２０Ｂの何れかに遊技球が入賞すると、これを契機として前記図柄表示装置Ｈが図柄変動演出を行なうようになっている。また、前記第２装着口には、図２に示すように、複数(実施例では３つ)の入賞口２２Ａが配列された普通入賞具２２が配設されている。なお、遊技盤Ｄの前面における前記遊技領域１０内には、多数の球案内釘２３や回転球案内具２４等が配設されている。
【００２１】
前記始動入賞装置２０、特別入賞装置２１および普通入賞具２２には、各々に入賞した遊技球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示演出部Ｈ１での図柄変動演出の後に、該表示演出部Ｈ１に所定の図柄組合わせで図柄が停止表示され、前記特別入賞装置２１の開閉扉２１Ａが開放位置に姿勢変位して多数の遊技球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２２】
(設置部材)
前記設置部材３０は、図３、図４および図１３に示すように、前方に開放する略矩形のケース状に一体成形された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で平行に対向して該遊技盤Ｄの後面を構成する設置壁部３１と、この設置壁部３１の周縁から前方へ延出形成された外周壁部３２と、この外周壁部３２の前端から外方に向けて屈曲した形状に形成された取付板部３３等を備えている。すなわち設置部材３０は、外周壁部３２で囲われて遊技盤Ｄ側に開放する前部開口が矩形状に形成されると共に、取付板部３３の外周縁が、遊技盤Ｄの外周縁より一回り小さい形状および大きさで形成されている。このような設置部材３０は、取付板部３３を遊技盤Ｄの後面にネジ止めすることで該遊技盤Ｄに固定され、遊技盤Ｄの後面から離間した設置壁部３１の前側に、前記第１〜第３の各可動演出装置５０,１２０,１２５や、第１〜第３の装飾部材４０,４１,４２や、各種付属部品の設置を可能とする空間ＳＰを画成する。
【００２３】
前記設置部材３０の設置壁部３１には、図３および図４に示すように、前後に貫通する表示開口(表示部)３４が形成されており、該設置壁部３１の後側には、該表示開口３４に前記表示演出部Ｈ１を臨ませた状態で前記図柄表示装置Ｈが着脱可能に取り付けられる。この図柄表示装置Ｈは、前記表示演出部Ｈ１を構成する液晶パネルが収容ケースに収容されたユニット部材であって、該収容ケースの後面には、該図柄表示装置Ｈの表示演出部Ｈ１の表示制御を行なう表示制御装置と、当該パチンコ機Ｐの遊技演出を統括的に制御する前記統括制御装置が配設される。統括制御装置には、前記図柄表示装置Ｈ、前記前枠Ｃに配設された照明装置や前記中枠Ｂに配設されたスピーカ等が電気的に接続されており、該統括制御装置から出力される制御信号に基づいて各装置が作動制御される。また統括制御装置には、設置壁部３１の前側に配設された前記各装飾部材４０,４１,４２や、前記第１〜第３の各可動演出装置５０,１２０,１２５等が電気的に接続されており、該統括制御装置から出力される制御信号に基づいて各装飾部材４０,４１,４２および各可動演出装置５０,１２０,１２５の作動が制御される。なお実施例では、前記設置壁部３１について、表示開口３４の上側部分を上板部３１Ａ、表示開口３４の下側部分を下板部３１Ｂ、表示開口３４の右側部分を右板部３１Ｃ、表示開口３４の左側部分を左板部３１Ｄと各々指称する。前記設置壁部３１の上板部３１Ａ、下板部３１Ｂ、右板部３１Ｃおよび左板部３１Ｄは、前後方向への部分的な凹凸や段差があるものの、前記遊技盤Ｄの後面と平行になっている。
【００２４】
実施例のパチンコ機Ｐでは、図３および図４に示すように、前記設置壁部３１の上板部３１Ａの前面に第１可動演出装置５０が配設され、右板部３１Ｃの前面に第１装飾部材４０が配設され、左板部３１Ｄの前面上部に第２装飾部材４１が配設されると共に、下板部３１Ｂの前面には第３装飾部材４２が該下板部３１Ｂに近接するように配設されている。また、右板部３１Ｃおよび上板部３１Ａには、第１装飾部材４０の前側から第１可動演出装置５０の前側に亘って略湾曲形状に延在するよう形成された第２可動演出装置１２０(図１３参照)が配設されている。更に、上板部３１Ａにおける表示開口３４に臨む前面下部には、第３可動演出装置１２５,１２５が配設されている。
【００２５】
(第１可動演出装置)
前記第１可動演出装置５０は、図３および図５〜図８に示すように、前記設置部材３０の設置壁部３１における前記上板部３１Ａの前側に固定され、前記図柄表示装置Ｈの前記表示演出部Ｈ１に臨む装置本体５１と、前記装置本体５１に配設され、前記図柄表示装置Ｈの遊技演出に合わせて回転可能な演出部材５２とを備えている。前記演出部材５２は、装置本体５１に配設された駆動手段としての電動モータ７５と連係機構８０を介して連係されており、該電動モータ７５の駆動力により前後方向に延在する軸周りに回転するようになっている。そして第１可動演出装置５０は、図６および図９に示すように、前記設置壁部３１の前側に設けられた当接部８５および前記装置本体５１に設けられた被当接部９０からなる姿勢保持部５３により、前面５１Ａが表示開口(表示部)３４に近づくにつれて後側へ変位した傾斜姿勢で前記装置本体５１を該設置壁部３１の上板部３１Ａに固定して保持されるようになっている。
【００２６】
(装置本体)
前記装置本体５１は、図５〜図８に示すように、左右に長い横長の前半体５５と、この前半体５５に後側から取り付けられる後半体５６とを有し、前半体５５と後半体５６とを前後に組み付けることで、内部に配設空間５７が画成された中空のケース部材として構成されている。前記前半体５５は、図７および図８に示すように、上端縁が左右方向において直線に延在し、下端縁が左右方向において両端から中央に向けて徐々に下方へ傾斜し、左右中央において上下幅が最大となる形状とされた前板５５Ａと、この前板５５Ａの外周縁が後方へ突出して該外周縁に沿って延在する外周リブ５５Ｂとを備え、これら前板５５Ａおよび外周リブ５５Ｂを一体に形成した成形部材である。前記後半体５６は、前記前半体５５の外周リブ５５Ｂの内周輪郭形状と略同一の外周輪郭形状に形成され、該外周リブ５５Ｂの後端に当接して前半体５５の開口を覆蓋し得る形状に形成された板状の成形部材である。なお、前記前半体５５は、透明または半透明の合成樹脂材から形成され、後側から照射された光の透過が可能に構成されている。
【００２７】
前記前半体５５には、図５(ａ)および図７に示すように、前記前板５５Ａの前面における左右中央部が、前記演出部材５２を配設可能な広さの部材配設部５８とされている。この部材配設部５８には、前方へ円形に突出したボス状の支持部５９が略中央に形成され、この支持部５９には前後に貫通して前端面に開口する支持孔６０が形成されている。前記支持孔６０には、前記演出部材５２に設けた回転軸７１Ｂ(図７および図８参照)が貫通するようになっており、前記支持部５９により該演出部材５２が回転可能に支持されるようになっている。また、前記部材配設部５８における前記支持部５９の上側に、演出部材５２に配設された第３照明基板７２に配設されたコネクタ接続端子７２Ｃが挿通する開口６２が形成されている。一方、前記前板５５Ａの前面における左上部に、前記電動モータ７５を設置するモータ設置部６１が設けられている。このモータ設置部６１には、前記電動モータ７５の駆動軸が挿通可能な開口が形成されており、該電動モータ７５は、該駆動軸を前記配設空間５７内に突出させた状態で該モータ設置部６１に固定される。
【００２８】
前記配設空間５７内は、前記モータ設置部６１の後側から前記部材配設部５８の後側までの領域が、前記連係機構８０が配設される機構配設部５７Ａとされ、前記機構配設部５７Ａの下側領域が、発光体としてのＬＥＤ６８Ａを前面に備えた第１照明基板６８が配設される第１基板設置部５７Ｂとされると共に、前記機構配設部５７Ａの右側領域が、ＬＥＤ６９Ａを前面に備えた第２照明基板６９が配設される第２基板設置部５７Ｃとされている。なお、前記前板５５Ａの裏面には、図８に示すように、該裏面から後方へ突出したリブ６３,６３が形成されており、該リブ６３,６３は、前記第１照明基板６８および第２照明基板６９を前側から支持するようになっている。
【００２９】
前記前半体５５の前板５５Ａには、図５(ａ)および図７に示すように、前記第１照明基板６８の各ＬＥＤ６８Ａに対応する前側部分および前記第２照明基板６９の各ＬＥＤ６９Ａに対応する前側部分にレンズ部６４が形成されており、各ＬＥＤ６８Ａ,６９Ａから照射された光を前方へ透過させ得るようになっている。なお、前記第２可動演出装置１２０には、図１３に示すように、前記第１可動演出装置５０における前記設置本体５１の前側に位置する装飾板１２４,１２４が設けられており、前記装置本体５１の前記部材配設部５８を除く左側部分および右側部分は、前記装飾板１２４,１２４で前側から覆われるようになっている(図２および図３参照)。従って、前記装飾板１２４,１２４は、前記第１照明基板６８および第２照明基板６９の各ＬＥＤ６８Ａ,６９Ａにより後側から照射されるようになっている。
【００３０】
前記後半体５６には、図５(ｂ)、図７および図８に示すように、前記第１照明基板６８に配設されたコネクタ接続端子６８Ｂが臨む開口６６Ａや、前記第２照明基板６９に配設されたコネクタ接続端子６９Ｂが臨む開口６６Ｂや、演出部材５２に配設された前記第３照明基板７２に配設されたコネクタ接続端子７２Ｃが臨む開口６６Ｃや、後述する従動ギア７３が臨む開口６６Ｄ等が形成されている。また、装置本体５１の後面５１Ｂとなる後半体５６の後面には、前記各照明基板６８,６９,７２のコネクタ接続端子６８Ｂ,６９Ｂ,７２Ｃに接続された配線を掛止保持するための配線掛止部６７が、所要位置に複数個形成されている。また、後半体５６の後面には、図５(ｂ)および図８に示すように、前記設置部材３０の設置壁部３１における上板部３１Ａの前側に、当該第１可動演出装置５０を所要の傾斜姿勢で位置決めする前記姿勢保持部５３を構成する被当接部９０,９０が形成されている。なお、姿勢保持部５３については、後で詳細に説明する。
【００３１】
(演出部材)
前記演出部材５２は、図５(ａ)、図７および図８に示すように、前記装置本体５１の前板５５Ａに設けられた前記部材配設部５８に前側から固定される装飾枠部材７０と、この装飾枠部材７０の前側に配設された回転部材７１と、前記前板５５Ａに前側から取付けられて前記装飾枠部材７０内に収容される前記第３照明基板７２とを備えている。前記装飾枠部材７０は、中央に大きな開口が設けられた枠状に形成され、後方へ突出する外周リブ７０Ａが、外周縁に沿って延在するように形成されている。そして装飾枠部材７０は、前記外周リブ７０Ａの後端を前記前板５５Ａの前面に当接した状態で前半体５５の後側からビスにより部材配設部５８に固定され、該前板５５Ａの前側との間に前記第３照明基板７２が収容可能な空間を画成する。前記第３照明基板７２は、円盤状に形成された基板の前側に、前方を照射する複数のＬＥＤ７２Ａを備えていると共に、前半体５５に設けられた前記支持部５９が貫通可能な開口７２Ｂが中央に形成されている。これにより第３照明基板７２は、前記支持部５９に対して前記開口７２Ｂを前側から整合させることで、前板５５Ａの前面に接触した状態で固定される。なお、第３照明基板７２の裏側の上部には、前記コネクタ接続端子７２Ｃが設けられている(図８参照)。
【００３２】
前記回転部材７１は、図５(ａ)、図７および図８に示すように、前記装飾枠部材７０の外周輪郭サイズより一回り小さい外周輪郭サイズに形成された光拡散部７１Ａと、この光拡散部７１Ａの後部中央から後方へ延出した回転軸７１Ｂとを備えている。前記光拡散部７１Ａは、前記第３照明基板７２のＬＥＤ７２Ａからの照射光を透過可能な透明の合成樹脂材から形成され、前面および裏面は不規則に凹凸した凹凸面として形成されて、ＬＥＤ７２Ａからの照射光を乱反射させると共に透過させ得るようになっている。なお、前記光拡散部７１Ａの外周部分は、メッキ等の表面処理がなされた装飾リング７４が配設される。前記回転軸７１Ｂは、前記支持部５９に設けた前記支持孔６０に前側から挿通して、後端が前記配設空間５７へ延出する長さに設定され、該支持部５９に対して軸心方向を回転中心として回転自在に支持される。そして、前記回転軸７１Ｂの後端には、図５(ｂ)に示すように、平歯車からなる従動ギア７３が固定されている。
【００３３】
(電動モータ)
駆動手段としての前記電動モータ７５は、統括制御装置により駆動制御される正逆回転制御が可能なステッピングモータ等である。この電動モータ７５は、図５(ａ)、図７および図８等に示すように、減速用のギアボックスを備えており、このギアボックスから前記駆動軸が延出している。そして電動モータ７５は、駆動軸を後向きとした姿勢で、前記モータ設置部６１に対して前側から取付けられ、前記駆動軸が、前記モータ設置部６１に設けた前記開口６２を介して配設空間５７内の機構配設部５７Ａに臨むようになっている。そして、前記駆動軸の配設空間５７内に延出した先端には、平歯車からなる駆動ギア７７が固定されている。なお駆動手段としては、前記電動モータに限らず、流体を使用するアクチュエータや、ロータリーソレノイド等であってもよい。
【００３４】
(連係機構)
前記連係機構８０は、図７および図８に示すように、前記前板５５Ａの後側に左右方向へ所要間隔毎に支持された複数(実施例では３つ)の支軸に回転自在に配設された第１、第２、第３の中間ギア８１,８２,８３を備えている。前記第１中間ギア８１は、前記電動モータ７５の駆動軸に固定された駆動ギア７７に噛合し、第２中間ギア８２は第１中間ギア８１に噛合し、第３中間ギア８３は、第２中間ギア８２および前記演出部材５２の回転軸７１Ｂに取付けた前記従動ギア７３に夫々噛合している。従って、前記駆動ギア７７と従動ギア７３とは、前記連係機構８０の各中間ギア８１,８２,８３により連係され、電動モータ７５の作動により駆動ギア７７が回転することで従動ギア７３が回転して、演出部材５２の回転部材７１が回転するよう構成されている。
【００３５】
(姿勢保持部)
実施例の第１可動演出装置５０は、図５、図９〜図１２に示すように、設置壁部３１の上板部３１Ａに設けられた前記当接部８５および前記装置本体５１に設けられた被当接部９０とからなる前記姿勢保持部５３と、前記装置本体５１に前側を指向するように設けられ、前記姿勢保持部５３により該装置本体５１が傾斜姿勢で保持された状態において前記設置壁部３１(上板部３１Ａ)と平行となる当受け部９５と、前記設置壁部３１に設けた取付部１０５に前側から固定され、前記当受け部９５に前側から当接する固定部材１００とを備えている。そして第１可動演出装置５０は、前記固定部材１００と前記当受け部９５とが当接すると共に前記当接部８５と被当接部９０とが当接することで、前記装置本体５１が前記傾斜姿勢に保持された状態で前記設置壁部３１の上板部３１Ａに取付けられるよう構成されている。
【００３６】
(当接部)
前記姿勢保持部５３を構成する前記当接部８５は、図４、図６および図９に示すように、前記設置壁部３１の上板部３１Ａの前面において左右中央を挟む左右両側に、夫々１組ずつ設けられている。各当接部８５は、左右に離間した２つの当接リブ８６,８６を備えている。各当接リブ８６は、表示開口３４側の最下部において前方への突出量が最も小さく、上方に向かうにつれて前方への突出量が徐々に大きくなり、最上部において前方への突出量が最も大きくなっている。すなわち各当接部８５は、当接リブ８６における前側を指向して前記被当接部９０が当接する当接面８７が、前記表示開口３４から離れるにつれて設置壁部３１の上板部３１Ａの前面から前側へ離間する傾斜状に形成されている。また各当接部８５は、図９に示すように、両当接リブ８６,８６の上端部に連設されて水平に延在する上リブ８８と、両当接リブ８６,８６の下端部に連設されて水平に延在する下リブ８９とを備えている。従って各当接部８５は、両当接リブ８６,８６および上下のリブ８８,８９により前方へ開口した略矩形の枠状に構成されている。
【００３７】
(被当接部)
前記姿勢保持部５３を構成する前記被当接部９０は、図５(ｂ)、図６および図９に示すように、前記装置本体５１の後面５１Ｂとなる後半体５６の後面において左右中央を挟む左右両側に、夫々１組ずつ設けられている。すなわち、装置本体５１の後面５１Ｂには、略矩形の枠状に形成された前記各当接部８５の開口内に前側から突入可能に形成された位置決め突部９２,９２が突設されており、前記被当接部９０は、各位置決め突部９２の左右両側に隣接して設けられて、前記当接部８５の当接面８７に前側から当接する当接受面(被当接面)９１,９１からなる。なお実施例では、被当接部９０の当接受面９１,９１が、後半体５６の後面と段差なしに面一となっており、かつ装置本体５１の前面５１Ａと平行に形成されている。
【００３８】
すなわち、実施例の姿勢保持部５３では、前記当接部８５における当接面８７が、前記表示開口３４から離れるにつれて上板部３１Ａの前面から前側へ離間する傾斜状に形成されていると共に、前記被当接部９０における当接受面９１が、装置本体５１の前面５１Ａと平行に形成されている。従って装置本体５１は、当接部８５の当接面８７に被当接部９０の当接受面９１が前側から当接すると、その前面５１Ａが表示開口３４に近づくにつれて後側へ変位した傾斜姿勢で上板部３１Ａの前面にセットすることが可能である。
【００３９】
(位置決め突部)
前記各当接部８５に対応して設けられた前記位置決め突部９２は、図５(ｂ)に示すように、左右に隣接して形成された２つの突リブ９３,９３から構成されている。ここで、図９に示すように、各位置決め突部９２における各突リブ９３の左右方向での外側面間隔)Ｗ１は、対応する当接部８５における各当接リブ８６の左右方向での内側面間隔Ｗ２と同一に設定されていると共に、各位置決め突部９２における各突リブ９３の上下方向の端面間隔Ｌ１は、対応する当接部８５の上リブ８８および下リブ８９の内側面間隔Ｌ２と同一に設定されている。従って、２組の位置決め突部９２,９２が対応する２組の当接部８５,８５内に各々突入することで、設置壁部３１の上板部３１Ａに対する第１可動演出装置５０の左右方向の位置決めおよび上下方向の位置決めが図られる。そして、前記各位置決め突部９２が対応の各当接部８５に突入したもとで、各当接部８５の当接面８７が各被当接部９０の当接受面９１に当接することで、装置本体５１が適切な前記傾斜姿勢で位置決めされる。
【００４０】
そして、実施例の第１可動演出装置５０では、図３、図５、図７〜図９に示すように、前記当受け部９５、固定部材１００および取付部１０５の各１つずつにより構成される組を、複数(実施例では３組)備えている。従って図３において、当受け部９５は、正面左側から第１当受け部９５Ａ、第２当受け部９５Ｂ、第３当受け部９５Ｃと指称し、固定部材１００は、正面左側から第１固定部材１００Ａ、第２固定部材１００Ｂ、第３固定部材１００Ｃと指称すると共に、取付部１０５は、正面左側から第１取付部１０５Ａ、第２取付部１０５Ｂ、第３取付部１０５Ｃと指称する。
【００４１】
(取付部)
前記第１〜第３の各取付部１０５Ａ,１０５Ｂ,１０５Ｃは、図９〜図１２に示すように、前記設置壁部３１の上板部３１Ａの前面から前方へ突出したボス状の突起である。第１〜第３の各取付部１０５Ａ,１０５Ｂ,１０５Ｃは、設置部材３０をインジェクション成形する際の成形型の型開き方向に突出しており、前記設置壁部３１の上板部３１Ａの前面に対して鉛直に立設され、よって前方へ水平に延出している。図３および図９に示すように、前記第１取付部１０５Ａは、前記第１可動演出装置５０の装置本体５１から左側に外れた位置に設けられると共に、前記第３取付部１０５Ｃは、該装置本体５１から右側に外れた位置に設けられる。一方、前記第２取付部１０５Ｂは、前記装置本体５１と前後に重なる位置に設けられており、該装置本体５１に前後に貫通形成された挿通部１０６に後側から差し込み可能な形状で上板部３１Ａの前面から前方へ突出しており、該挿通部１０６に差し込むとその先端が前記装置本体５１の前側に臨むように構成されている。そして、第１〜第３の各取付部１０５Ａ,１０５Ｂ,１０５Ｃの前端には、図９〜図１２に示すように、取付ネジ１０８をねじ込んで締結可能なネジ締結孔１０７が形成されている。
【００４２】
(当受け部)
前記第１〜第３の各当受け部９５Ａ,９５Ｂ,９５Ｃは、図５(ａ)、図６、図９〜図１２に示すように、装置本体５１に前側を指向するように設けられ、かつ前記各当接部８５の当接面８７と前記被当接部９０の当接受面９１との当接状態において、前記設置壁部３１の上板部３１Ａの前面と平行となる向きに形成されている。すなわち、前記第１〜第３の各当受け部９５Ａ,９５Ｂ,９５Ｃは、前記各当接部８５の当接面８７と前記各被当接部９０の当接受面９１との当接状態において、前記上板部３１Ａの前面と平行となり、略垂直に延在している。そして、前記第１〜第３の各当受け部９５Ａ,９５Ｂ,９５Ｃは、装置本体５１の前面５１Ａより後方へ凹んだ形状に形成されている(図５(ａ)参照)。前記第１当受け部９５Ａは、前記装置本体５１の前面５１Ａにおける左縁上部において縦長に延在して該装置本体５１の左端および上端に臨むように設けられていると共に、前記第３当受け部９５Ｃは、前記第１当受け部９５Ａと左右対称の形状に形成され、前記装置本体５１の前面５１Ａにおける右縁上部において縦長に延在して該装置本体５１の右端および上端に臨むように設けられている。また、前記第２当受け部９５Ｂは、前記装置本体５１の前面５１Ａにおける前記部材配設部５８の右隣りにおいて縦長に延在して該装置本体５１の上端に臨むように設けられている。
【００４３】
(固定部材)
前記第１〜第３の各固定部材１００Ａ,１００Ｂ,１００Ｃは、図５、図７、図１０〜図１２に示すように、前記対応する第１〜第３の各当受け部９５Ａ,９５Ｂ,９５Ｃに前側から面接触する当接面１０１と、前記対応する第１〜第３の各取付部１０５Ａ,１０５Ｂ,１０５Ｃに締結させる前記取付ネジ１０８の挿通を許容するネジ孔１０２とが設けられている。前記第１固定部材１００Ａは、前記設置壁部３１の上板部３１Ａの前面に形成された左支持部１１０と前記第１当受け部９５Ａとに跨がる形状に形成され、かつ該左支持部１１０に設けられた２つのボス１１１,１１１に各々係合する開口１１２および凹部１１３が形成されている。これにより第１固定部材１００Ａは、前記開口１１２および凹部１１３が各ボス１１１,１１１に係合することで、当接面１０１が前記第１当受け部９５Ａに前側から整合すると共に、ネジ孔１０２が前記第１取付部１０５Ａのネジ締結孔１０７と整合するように形成されている(図１０参照)。従って、ネジ孔１０２を介してネジ締結孔１０７に取付ネジ１０８を締結することで、第１固定部材１００Ａの当接面１０１と第１当受け部９５Ａとが適切に面接触する。また、前記第３固定部材１００Ｃは、前記設置壁部３１の上板部３１Ａの前面に形成された右支持部１１５と前記第３当受け部９５Ｃとに跨がる形状に形成され、かつ該右支持部１１５に設けられた２つのボス１１６,１１６に各々係合する開口１１７および凹部１１８が形成されている。これにより第２固定部材１００Ｂは、前記開口１１７および凹部１１８が各ボス１１６,１１６に係合することで、当接面１０１が前記第３当受け部９５Ｃに前側から整合すると共に、ネジ孔１０２が前記第３取付部１０５Ｃのネジ締結孔１０７と整合するように形成されている(図１１参照)。従って、ネジ孔１０２を介してネジ締結孔１０７に取付ネジ１０８を締結することで、第３固定部材１００Ｃの当接面１０１と第３当受け部９５Ｃとが適切に面接触する。
【００４４】
更に、前記第２固定部材１００Ｂは、前記第２当受け部９５Ｂに整合する略長方形状に形成され、該第２当受け部９５Ｂに前側から整合させることで、当接面１０１が前記第２当受け部９５Ｂに前側から整合すると共に、ネジ孔１０２が前記挿通部１０６に挿通した前記第２取付部１０５Ｂのネジ締結孔１０７と整合するように形成されている(図１２参照)。従って、ネジ孔１０２を介してネジ締結孔１０７に取付ネジ１０８を締結することで、第２固定部材１００Ｂの当接面１０１と第２当受け部９５Ｂとが適切に面接触する。なお、前記第２固定部材１００Ｂは、前記第２当受け部９５Ｂに形成された挿通部１０６の前側開口より大きく形成されている。
【００４５】
(第２可動演出装置)
前記第２可動演出装置１２０は、図１３に示すように、設置壁部３１の右板部３１Ｃの前側から上板部３１Ａの前側に亘り延在し、前記表示開口３４を略１／２周に亘って囲む形状、サイズの装置である。すなわち第２可動演出装置１２０は、設置壁部３１の右板部３１Ｃの前面に配設した前記第１装飾部材４０および該設置壁部３１の上板部３１Ａの前面に配設した前記第１可動演出装置５０の各々と前後に重なった状態で、該右板部３１Ｃおよび上板部３１Ａに取付けられる。このような第２可動演出装置１２０は、前記表示開口３４を囲む外側において該表示開口３４の略１／２周を囲むよう円弧状に湾曲した形状の装置本体１２１と、この装置本体１２１に円弧状に設けたガイド部１２３に沿って往復移動可能に配設されて、前記表示開口３４の外側に沿って移動する演出部材１２２とを備えている。前記第２可動演出装置１２０は、図１４に示すように、前記演出部材１２２が前記装置本体１２１より後側へ突出しているが、前述したように前記第１可動演出装置５０が、前記装置本体５１の前面５１Ａが表示開口３４に近づくにつれて後側へ変位した傾斜姿勢で上板部３１Ａに取付けられることで、第１可動演出装置５０の前側に重ねて配設することが許容される。なお、第２可動演出装置１２０の装置本体１２１には、前記第１可動演出装置５０の装置本体５１の前側に位置する前記装飾板１２４,１２４が設けられ、前記第１可動演出装置５０に配設された第１照明基板６８および第２照明基板６９の各ＬＥＤ６８Ａ,６９Ａにより、装飾板１２４の後側から照射されるようになっている。
【００４６】
(第３可動演出装置)
前記第３可動演出装置１２５は、前記設置壁部３１の上板部３１Ａの前側において、前記第１可動演出装置５０の下側に配設され、左右中央を挟んで左右両側に各々１基ずつ配設されている。各第３可動演出装置１２５は、前記上板部３１Ａに取付けられた装置本体１２６と、この装置本体１２６に揺動可能に枢支されたレバー状の主可動部材１２７と、この主可動部材１２７に枢支されて左右方向に並んで配設されて複数(実施例では４個)の従可動部材１２８とを備えている。前記主可動部材１２７は、装置本体１２６に配設された駆動手段(電磁ソレノイド等)により自由端側が上下方向に変位するように揺動し、前記各従可動部材１２８は、前記主可動部材１２７の揺動により発生する慣性力により左右方向へ不規則に姿勢変位するよう構成されている。
【００４７】
(実施例の作用)
前述のように構成された実施例のパチンコ機Ｐでは、図１３に示すように、遊技盤Ｄの後側へ取付ける前の設置部材３０の設置壁部３１に対して、前記第１〜第３の各可動演出装置５０,１２０,１２５や、前記第１〜第３の各装飾部材４０,４１,４２およびその他の部品や部材等が取付けられる。
【００４８】
予め組立てられた前記第１可動演出装置５０は、図９に示すように、前記装置本体５１の後面５１Ｂに形成された前記各位置決め突部９２,９２を、設置部材３０の設置壁部３１における上板部３１Ａの前面に設けた前記各当接部８５,８５に前側から整合させて差し込むことで、各当接部８５の当接面８７と各被当接部９０の当接受面９１とが当接して設置壁部３１に対して位置決めされる。すなわち、前記第１可動演出装置５０は、各当接部８５に各位置決め突部９２が突入することで設置壁部３１に対して左右方向および上下方向の位置決めが図られ、各当接部８５と各被当接部９０とが当接することで、装置本体５１の前面５１Ａが表示開口３４に近づくにつれて後側へ変位する傾斜姿勢で位置決めされる。なお、第１可動演出装置５０を設置壁部３１にセットするに際し、装置本体５１に設けた前記挿通部１０６に前記第２取付部１０５Ｂを後側から差し込むことで、各当接部８５に各位置決め突部９２を差し込む前に装置本体５１の大まかな位置決めが図られるため、各当接部８５に対する各位置決め突部９２の差し込みが容易になる。
【００４９】
次に、第１〜第３の各取付部１０５Ａ,１０５Ｂ,１０５Ｃに、第１〜第３の各固定部材１００Ａ,１００Ｂ,１００Ｃを前側から固定して、該第１〜第３の各固定部材１００Ａ,１００Ｂ,１００Ｃを、装置本体５１の前側に設けた前記第１〜第３の各当受け部９５Ａ,９５Ｂ,９５Ｃに前側から当接させる。これにより、第１〜第３の各固定部材１００Ａ,１００Ｂ,１００Ｃと第１〜第３の各当受け部９５Ａ,９５Ｂ,９５Ｃとが各々当接すると共に、前記各当接部８５,８５の当接面８７と前記各被当接部９０,９０の当接受面９１,９１とが当接するから、前記装置本体５１が前記傾斜姿勢に保持された状態で、第１可動演出装置５０が前記設置壁部３１の上板部３１Ａに取付けられる。
【００５０】
そして、前記第１〜第３の各可動演出装置５０,１２０,１２５および各装飾部材４０,４１,４２等を配設した設置部材３０を遊技盤Ｄの後側に取付けることで、各可動演出装置５０,１２０,１２５および各装飾部材４０,４１,４２が、遊技盤Ｄに設けた前記表示窓口２８Ａに臨むようになる。なお、実施例の第１可動演出装置５０は、図２に示すように、表示窓口２８Ａの上方に位置するようになる。
【００５１】
前述のように構成された実施例のパチンコ機Ｐでは、前記遊技盤Ｄの遊技領域１０へ打ち出された遊技球が前記始動入賞装置２０の第１始動入賞口２０Ａまたは第２始動入賞口２０Ｂに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示演出部Ｈ１において図柄変動演出を行なわせる。そして主制御装置は、前記大当たり抽選の結果として大当たりが発生すると、前記統括制御装置を介して図柄表示装置Ｈの表示演出部Ｈ１に所定の図柄組合わせで図柄を停止表示させ、前記特別入賞装置２１の開閉扉２１Ａを開放動作させて入賞口を開放させる。
【００５２】
また前記統括制御装置は、前記主制御装置からの制御信号に基づき、前記第１可動演出装置５０、第２可動演出装置１２０および第３可動演出装置１２５を、前記図柄表示装置Ｈの表示演出部Ｈ１での遊技内容に合わせて総合的に作動制御する。すなわち統括制御装置は、前記図柄表示装置Ｈの表示演出部Ｈ１での図柄変動演出に基づき、前記第１〜第３の各可動演出装置５０,１２０,１２５の何れかを単独で作動させたり、各可動演出装置５０,１２０,１２５を同時または同期的に作動させる。また統括制御装置は、前記第１〜第３の装飾部材４０,４１,４２等に配設した照明装置を点灯制御すると共に、電動式の各種遊技部品を作動制御する。
【００５３】
前記第１可動演出装置５０は、前記統括制御装置により前記電動モータ７５が駆動すると、前記連係機構８０を介して演出部材５２が回転すると共に、第３照明基板７２のＬＥＤ７２Ａが発光制御されることで該演出部材５２が明輝するようになる。また、前記第１照明基板６８および第２照明基板６９の各ＬＥＤ６８Ａ,６９Ａが発光制御されることで、装置本体５１の前面５１Ａが明輝するようになる。
【００５４】
前述のように構成された実施例のパチンコ機Ｐによれば、第１可動演出装置５０の装置本体５１を、姿勢保持部５３における設置壁部３１の上板部３１Ａに設けた当接部８５および装置本体５１の後面５１Ｂに設けた被当接部９０の当接により、前面５１Ａが表示開口３４に近づくにつれて後側へ変位した傾斜姿勢とすることができる。すなわち、設置壁部３１の上板部３１Ａに設けた当接部８５の当接面８７が該上板部３１Ａの前面に対し傾斜して形成されると共に、装置本体５１の後面５１Ｂに設けた被当接部９０の当接受面９１が該装置本体５１の前面５１Ａと平行に形成されているので、当接部８５の当接面８７と被当接部９０の当接受面９１とを当接させると、該装置本体５１を設置壁部３１に対して適切な傾斜姿勢とすることができる。
【００５５】
そして、図３、図１０〜図１２に示すように、設置壁部３１の上板部３１Ａに設けた第１〜第３の各取付部１０５Ａ,１０５Ｂ,１０５Ｃに、第１〜第３の各固定部材１００Ａ,１００Ｂ,１００Ｃの夫々を固定することで、装置本体５１の前側に設けた第１〜第３の各当受け部９５Ａ,９５Ｂ,９５Ｃの夫々に各固定部材１００Ａ,１００Ｂ,１００Ｃが前側から当接すると共に、前記姿勢保持部５３の当接部８５と被当接部９０とが当接するよう構成したので、装置本体５１を傾斜姿勢に保持した状態で設置壁部３１に第１可動演出装置５０を適切に取付けることができる。従って第１可動演出装置５０は、装置本体５１の前面が表示開口３４側に傾斜した状態に保持されるので、図柄表示装置Ｈの該表示開口３４に臨む表示演出部Ｈ１における図柄変動演出と該第１可動演出装置５０の演出動作との連動性を図り易い。
【００５６】
また、前記装置本体５１の前側に設けた第１〜第３の各当受け部９５Ａ,９５Ｂ,９５Ｃが、該装置本体５１の傾斜姿勢において設置壁部３１の上板部３１Ａの前面と平行となるから、装置本体５１の傾斜方向へ該装置本体５１が移動することを防止し得る。しかも、第１〜第３の各当受け部９５Ａ,９５Ｂ,９５Ｃが、装置本体５１の前面５１Ａより後側へ凹んだ形状に形成されているから、各当受け部９５Ａ,９５Ｂ,９５Ｃに当接させた第１〜第３の固定部材１００Ａ,１００Ｂ,１００Ｃを、装置本体５１の前面５１Ａから突出しないようすることができる。これにより、装置本体５１の前側に、第２可動演出装置１２０を配設するに際して、前記各固定部材１００Ａ,１００Ｂ,１００Ｃと該第２可動演出装置１２０とが干渉することを回避し得ると共に、該第２可動演出装置１２０を第１可動演出装置５０に近づけて配設することが可能である。
【００５７】
そして、前記装置本体５１に、前後に貫通する挿通部１０６を第２当受け部９５Ｂに開口するよう設け、第２取付部１０５Ｂを、前記挿通部１０６に後側から差し込み可能な形状で設置壁部３１の上板部３１Ａの前面から前方へ突出するよう形成したことで、装置本体５１を上板部３１Ａの前面にセットするに際して、第２取付部１０５Ｂを挿通部１０６に後側から差し込むことで、装置本体５１を設置壁部３１に対し大まかに位置決めすることができ、姿勢保持部５３の当接部８５と被当接部９０との当接を簡易かつ迅速に行なうことを可能とする。また、第１〜第３の各取付部１０５Ａ,１０５Ｂ,１０５Ｃに、取付ネジ１０８により各固定部材１００Ａ,１００Ｂ,１００Ｃを固定する作業を行なうに際し、該第２取付部１０５Ｂを挿通部１０６に挿通させておくことで、設置部材３０を垂直または垂直近くまで立て掛けた状態であっても、第１可動演出装置５０の位置決めを保持することができ、片手で装置本体５１を把持する必要がないから各固定部材１００Ａ,１００Ｂ,１００Ｃの固定作業を簡易に行なうことができる。更に、挿通部１０６を装置本体５１の端縁部ではなく中央寄りに設けることで、設置壁部３１に対して装置本体５１が前方へ変形した状態で固定されることがなくなり、当接部８５と被当接部９０とが確実に当接した状態に保持することができる。
【００５８】
そして、第１可動演出装置５０を、表示開口３４に近づくにつれて設置壁部３１に近づくよう傾斜姿勢で該設置壁部３１に取付けるようにしたので、該第１可動演出装置５０の前側に画成されるスペースが大きくなるから、第２可動演出装置１２０を該第１可動演出装置５０の前側に重ねて配設することを可能とする。
【００５９】
〔変更例〕
本発明に係る遊技機は、実施例に例示の形態に限らず種々の変更が可能である。
（１）姿勢保持部５３は、当接部８５における被当接部９０との当接面８７を、前記設置壁部３１の上板部３１Ａの前面と平行に形成すると共に、前記被当接部９０における前記当接部８５の当接面８７と当接する当接受面(被当接面)９１を、前記表示開口３４から離れるにつれて装置本体５１の前面５１Ａから後側へ離間するよう傾斜して形成するようにしてもよい。前記当接部８５および被当接部９０をこのように形成しても、該当接部８５の当接面８７と被当接部９０の被当接面９１とが当接することで、前記装置本体５１を前記傾斜姿勢で位置決めすることが可能である。
（２）前記当接部８５および被当接部９０の配設数は、実施例のように２個に限定されるものではなく、装置本体５１の形状やサイズに応じて１個または３個以上であってもよい。
（３）当受け部９５は、装置本体５１に前側を指向するように設けられて、姿勢保持部５３により該装置本体５１が前記傾斜姿勢で保持された状態において前記設置壁部と平行となれば、該装置本体５１の前面５１Ａより前側に突出するように形成してもよい。
（４）取付部１０５、当受け部９５および固定部材１００の配設数は、実施例の３個ずつに限定されず、装置本体５１の形状やサイズに応じて１個以上の適宜数に設定することが可能である。
（５）第１可動演出装置５０の配設位置は、表示開口３４の上側に限らず、設置壁部３１における該表示開口３４の下側となる下板部３１Ｂの前側、表示開口３４の右側となる右板部３１Ｃの前側または該表示開口３４の左側となる左板部３１Ｄの前側であってもよい。なお、設置壁部３１の何れの位置に取付けられる第１可動演出装置であっても、装置本体５１の前面５１Ａが表示開口３４から離れるにつれて設置壁部３１から前側へ離間する傾斜姿勢となるように、当接部８５および被当接部９０が設定される。
（６）実施例では、遊技機としてのパチンコ機を示したが、遊技機はパチンコ機に限られるものではなく、アレンジボール機等であってもよい。
【符号の説明】
【００６０】
２８ 装飾部材，２８Ａ 表示窓口(演出領域)，３０ 設置部材，３１ 設置壁部
３４ 表示開口(表示部)，５０ 第１可動演出装置(演出装置)，５１ 装置本体
５１Ａ 前面，５３ 姿勢保持部，８５ 当接部，８７ 当接面，９０ 被当接部
９１ 当接受面(被当接面)，９５ 当受け部(９５Ａ 第１当受け部，９５Ｂ 第２当受け部
９５Ｃ 第３当受け部)，１０５ 取付部(１０５Ａ 第１取付部，１０５Ｂ 第２取付部
１０５Ｃ 第３取付部)，１００ 固定部材(１００Ａ 第１固定部材
１００Ｂ 第２固定部材，１００Ｃ 第３固定部材)，１０６ 挿通部，Ｄ 遊技盤
【図１】
0005694904.tif 000002
【図２】
0005694904.tif 000003
【図３】
0005694904.tif 000004
【図４】
0005694904.tif 000005
【図５】
0005694904.tif 000006
【図６】
0005694904.tif 000007
【図７】
0005694904.tif 000008
【図８】
0005694904.tif 000009
【図９】
0005694904.tif 000010
【図１０】
0005694904.tif 000011
【図１１】
0005694904.tif 000012
【図１２】
0005694904.tif 000013
【図１３】
0005694904.tif 000014
【図１４】
0005694904.tif 000015